(57)【要約】本発明は、食料品店，レジャー設備等の商業利用設備内で使用可能なシステムに関する。このシステムは、広告目的又は案内標識板に対して存在する情報媒体を利用する。これらの設備内では、互いに接続された流通を通じて実現可能な商品提供部や場合によってはレストラン等の供給設備が存在する。来客は、来客の購入品及び／又はその他の物品を搬送するための設備に固有の搬送手段（２）を自由に使用できる。多数の情報媒体が、商業利用設備の地面にわたって分散して配置される。標準広告を出力する制御に加えて少なくとも１つの、特に多数の異なる広告表示を出力し制御する装置がそれぞれ、これらの情報媒体に割り当てられている。この場合、これらの情報媒体（７）の制御が、信号送信機によって切換可能である。これらの信号送信機はそれぞれ、１つの特定のカートに対して固有の信号を出力する。
2006515931.tif 000002
【特許請求の範囲】
【請求項１】
互いに接続された流通を通じて実現可能な商品提供部やレストラン等のサービス設備，中央に配置された程度の差があるにせよ多数のレジ，情報による案内標識並びにさらに文字的な、視覚的な及び／又は音響的な広告メッセージを伝える情報媒体を備えた設備から構成された、商業利用設備、例えば食料品店やレジャー設備等内で情報媒体を利用するシステムにあって、この場合、カート若しくは購入品を搬送するためのその他の搬送手段及び／又はその他の物品が、少なくとも商業利用設備内で来客に提供されることを特徴とする情報媒体利用システムにおいて、多数の情報媒体が、商業利用設備の地面にわたって分散して配置されていて、標準広告の出力を制御するほかに少なくとも１つの、特に多数の異なる広告の出力を制御する装置が、これらの情報媒体にそれぞれ割り当てられていて、この場合、これらの情報媒体の制御が、信号送信機によって切換可能であり、これらの信号送信機はそれぞれ、１つの特定のカートに固有の信号を出力することを特徴とする情報媒体システム。
【請求項２】
選択可能なサイズに応じて制御可能な切換時間が、商業利用設備の地面内に全体的に存在するオン・オフ可能な又は制御可能な情報媒体に割り当てられていることを特徴とする請求項１に記載の情報媒体システム。
【請求項３】
オン・オフ可能な標準広告と違う特定の信号送信機に適用される情報媒体の広告の各々が、この可動な信号送信機によって１回だけ又は特別な規準にしたがって何回も若しくは何回かの割り当てで起動可能であるか又は制御可能であることを特徴とする請求項１又は２に記載の情報媒体利用システム。
【請求項４】
送信設備が、各設備の出力部の後方又は入力部の前方の範囲内に設けられていて、これらの送信設備は、コード化された信号を出力する手段、特に問合せ可能なトランスポンダをリセットし、その結果、各トランスポンダは、設備内への入場時に取り違えようのない新しい固有のＩＤを呈することを特徴とする請求項１〜３のいずれか１項に記載の情報媒体利用システム。
【請求項５】
コード化された信号を出力する手段、特に問合せ可能なトランスポンダが、商業利用設備内に来客用に用意されたカートに対して設置されていて、これらのトランスポンダはそれぞれ、強要するこれらのそれぞれのカートに固有の信号を出力し、特に標準広告と違う広告の制御に割り当てられていることを特徴とする請求項１〜４のいずれか１項に記載の情報媒体利用システム。
【請求項６】
全ての情報媒体が、少なくとも個々のトランスポンダのコード化されたデータを問合せするのに適した装置、特に送受信設備を装備していることを特徴とする請求項１〜５のいずれか１項に記載の情報媒体利用システム。
【請求項７】
単位時間当たりの起動信号の数を検出し記憶する少なくとも１つのカウンタがそれぞれ、送受信設備に後続接続されていることを特徴とする請求項１〜６のいずれか１項に記載の情報媒体利用システム。
【請求項８】
タイミング信号発生器が、カウンタに加えて送受信設備に後続接続されていて、このタイミング信号発生器は、特定の広告メッセージに対する静的な起動信号の検出時にこの広告メッセージの繰り返しをプリセット可能な特定の期間に制限することを特徴とする請求項１〜７のいずれか１項に記載の情報媒体利用システム。
【請求項９】
情報媒体は、存在する広告メッセージによってプログラミングされていて、送信可能な広告メッセージ用の起動信号が存在しない場合、この広告メッセージは自動的にオンすることを特徴とする請求項１〜８のいずれか１項に記載の情報媒体利用システム。
【請求項１０】
限定された切換時間が、標準広告と違う情報媒体の広告の各々に割り当てられていることを特徴とする請求項１〜９のいずれか１項に記載の情報媒体利用システム。
【請求項１１】
制御される広告の進行時間の間に、この広告が送受信設備の送信範囲内に到達する別の信号送信機によって再び起動されることを阻止する装置が、各情報媒体の送受信設備に割り当てられていることを特徴とする請求項１〜１０のいずれか１項に記載の情報媒体利用システム。
【請求項１２】
異なる広告又は広告メッセージが、無線の遠隔制御によって個々の情報媒体に対して提供されることを特徴とする請求項１〜１１のいずれか１項に記載の情報媒体利用システム。
【請求項１３】
中央に構成された情報媒体システムの場合、１つの中央コンピュータが、広告、特に一時的な広告を有する個々の情報媒体の配置に割り当てられていることを特徴とする請求項１〜１２のいずれか１項に記載の情報媒体利用システム。
【請求項１４】
中央に構成された情報媒体利用システムの場合、広告が広告時間として支払われている間だけ表示され又は制御されるように、中央コンピュータが、支払った広告時間を管理し、個々の情報媒体の制御頻度，設備の個々の範囲の制限，広告の選択等のような全ての統計データを中央で検出し処理する中央コンピュータが、スキャナーレジスターの範囲内にあるアンテナに接続している状態で特定の広告を特定の商品の売上げに対して割り当てる目的で同様にこの中央コンピュータ内で処理されることを特徴とする請求項１〜１３のいずれか１項に記載の情報媒体利用システム。
。
【請求項１５】
このような分散して構成された情報媒体利用システムの場合、情報媒体の送受信設備に加えて小型コンピュータ及び一時的に表示すべき多数のいろいろな広告用のプログラミング可能な記憶装置及び統計学的なデータを収集する少なくとも１つの記憶装置が、各情報媒体に割り当てられていることを特徴とする請求項１〜１２のいずれか１項に記載の情報媒体利用システム。
【請求項１６】
上位に配置された少なくとも１つの管理コンピュータが、複数の設備に割り当てられた程度の差があるにせよ任意の数の中央コンピュータに割り当てられていることを特徴とする請求項１〜１５のいずれか１項に記載の情報媒体利用システム。
【発明の詳細な説明】
【技術分野】
【０００１】
本発明は、互いに接続された流通を通じて実現可能な商品提供部やレストラン等のサービス設備，中央に配置された程度の差があるにせよ多数のレジ，情報による案内標識並びにさらに文字的な、視覚的な及び／又は音響的な広告メッセージを伝える情報媒体を備えた設備から構成された、商業利用設備、例えば食料品店やレジャー設備等内で情報媒体を利用するシステムに関する。この場合、購入品及び／又はその他の物品を搬送するためのカート又はその他の搬送手段が、少なくとも商業利用設備内で来客に提供される。
【背景技術】
【０００２】
公衆が歩いて通る設備内には、一般に情報媒体が存在する。商品又はサービス又は供給サービスが、この設備内で公衆に提供される。公衆は、これらの情報媒体によって特別な商品又はサービスに注目する。このような情報媒体の最も簡単な形態は、注意書き，ポスター等の動かない広告である。この種類の情報媒体の欠点は、これらの情報媒体が比較的大きな経費を伴って区別した商品や特売品のような瞬間で特に通りすぎている場面でしか適合できない点である。
【０００３】
さらに、このような動かない情報媒体の広告の効果を把握すること又は全体的に見渡すことがほとんど不可能である。特に非常に多くのいろいろな商品を有する販売場所、例えばスーパーマーケット内では、購入したい商品又は特売品のそれぞれの陳列場所を簡単な案内標識板、例えば色付きの矢印等で指し示すことができる。このことは、一方では案内標識板の再利用の可能性及び他方では簡単で僅かな作業経費での交換可能性という利点を奏する。
【０００４】
さらに、特にスーパーマーケット，ショッピングセンター及び場合によってはレジャーパークに対しては、交換可能な案内標識板の代わりに変化するテキスト又はイメージによる発光掲示板を使用することが提唱されている。この場合、発光掲示板はそれぞれ、個別に又は設備の中央管理所によって起動され、場合によってはさらに特定のテキスト又はイメージを変化させ連続して表示できる。このように構成された情報媒体システムは、確かに僅かな経費でほぼあらゆる任意の使用形態に適合可能であるものの、これらの簡単で動かない広告は、情報媒体の可視範囲内に到達した全ての人に無差別に見せる。その結果、同じイメージが同じ人たちに常に再び表示されることが頻繁に起こる。
【発明の開示】
【発明が解決しようとする課題】
【０００５】
本発明の課題は、例えばショッピングセンター，スーパーマーケット又はレジャー設備等内で情報媒体を利用するシステムを提供することにある。このシステムは、公知のシステムの欠点を排除し、さらに用意された搬送手段のうちの１つの搬送手段と共に設備内で移動する公衆の各々の人に個別に伝える。
【課題を解決するための手段】
【０００６】
この課題は、本発明により、多数の情報媒体が、商業利用設備の地面にわたって分散して配置されていて、標準広告の出力を制御するほかに少なくとも１つの、特に多数の異なる広告又は情報広告の出力を制御する装置が、これらの情報媒体にそれぞれ割り当てられていて、この場合、これらの情報媒体の制御が、信号送信機によって切換可能であり、これらの信号送信機はそれぞれ、１つの特定のカート又はその他の特定の搬送手段に固有の信号を出力することによって解決される。これに対して、電子式の認識システム用の取り違えることのない１つのＩＤが、各カート又はそれぞれの設備内で用意されたその他の搬送手段を利用する人に割り当てられる。設備内に存在する情報媒体の利用がそれぞれのＩＤに合わせられ得る結果、設備の或る範囲だけでそれぞれ稼働する全ての公知の情報媒体では当然であるような、例えば、同じ情報が、無計画に、すなわち規則なしに個人に２回又は３回伝えられるということが決してない。
【０００７】
例えばテレビ画面，大型ディスプレイ又は特殊なガラス板に接続しているビーマー又は視覚的に、文字的に及び／又は音響的に表示するその他の制御可能な装置によって構成され得る個々の情報媒体の可能な限り最適な利用可能性に関して、選択可能なサイズに応じて制御可能な切換時間が、商業利用設備の地面内に全体的に存在するオン・オフ可能な又は制御可能な情報媒体に割り当てられている。
１つの好適な実施の形態では、所定の標準広告を有する情報媒体の各々が、場合によっては案内標識板として構成され得、オン・オフ可能な標準広告と違う特定の信号送信機に適用される広告の各々が、この可動な信号送信機によって１回だけ起動可能であるか又は制御可能である。その結果、制御可能な各広告が、個人として処理されるそれぞれの人に１回だけ又は任意の頻度で及び／又は割り当てで見せられる。
【０００８】
情報媒体利用システムの好適な実施の形態では、例えば買い物かご等をコード化した信号を出力する手段、特に問合せ可能なトランスポンダが、商業利用設備内に来客用に用意されたカート又はその他の搬送手段に対して設置されていることが提唱されている。これらのトランスポンダはそれぞれ、強要するこれらのそれぞれのカート又はこれらのそれぞれのその他の搬送手段に固有の信号を出力し、特に標準広告と違う広告の制御に割り当てられる。特にここで詳しく説明すると、全ての情報媒体が、少なくとも個々のトランスポンダのコード化されたデータを問合せするのに適した装置、特に送受信設備を装備している。この場合、単位時間当たりの起動信号の数を検出し記憶する少なくとも１つのカウンタがそれぞれ、間接的に又は直接的に送受信設備に後続接続されている。タイミング信号発生器が、カウンタに加えて送受信設備に後続接続されていることが、特にシステムのその他の構成で好ましい。このタイミング信号発生器は、特定の広告メッセージ又は広告に対する静的な起動信号の検出時にこの広告メッセージ又は広告の繰り返しを阻止するか又はプリセット可能な特定の期間に制限する。さらに、限定されたオン時間又は起動時間が、標準広告と違う情報媒体の広告の各々に割り当てられている。
【０００９】
プリセット可能な規則、例えば起動可能な各広告又はメッセージがその都度送受信設備によって個人として認識される人に一回だけ又は計画された頻度で見せられる規則にしたがってシステムを利用するためには、少なくとも第１信号送信機によって制御される広告の進行時間の間に、この広告が送受信設備の送信範囲内に到達する別の信号送信機によって再び起動されることを阻止する装置が、各情報媒体の送受信設備に割り当てられていることがさらに好ましい。
【００１０】
情報媒体利用システムの範囲内では、明らかにその他の優れた規則又は結合した規則も提唱できる。例えば、その都度個人として認識された人が、連続して制御すべき情報媒体で段階的に表示された指示又はメッセージによって設備の特定の範囲又は商品等の所在地に案内される。本発明の情報媒体利用システムの場合、このことは、特に各人が個人として認識され、その人のその時の現在地も常に認識可能であることによって可能になる。その結果、その人は、個別に処理可能である。
【００１１】
情報媒体利用システム内では、個々の広告又は広告メッセージが、最も簡単な場合は無線の遠隔制御又は有線によって異なる情報媒体に対して提供される。このような分散して構成された情報媒体利用システムの場合、情報媒体の送受信設備に加えて小型コンピュータ及び一時的に表示すべき多数のいろいろな広告用のプログラミング可能な記憶装置及び統計学的なデータを収集する少なくとも１つの記憶装置が、各情報媒体に割り当てられている。
【００１２】
しかしながら、より大きい設備に対する情報媒体利用システムの場合は、中央コンピュータを有する中央機構が作動する。この中央コンピュータは、有線を介して個々の情報媒体に目的に合わせて接続されている。これらの情報媒体のイメージ的な広告又は文字的な広告の提供がより好ましい。特にこのことは、一時的にだけ使用すべき広告の提供又は交換に関する。何故なら、これによって、広告又はメッセージの迅速な交換が大幅に簡単になっているからである。特にこのような中央構成された情報媒体利用システムの場合、広告が広告時間として支払われている間だけ表示され又は制御されるように、中央コンピュータが、各情報媒体に対して支払った広告時間を管理する。さらに、例えば個々の情報媒体の制御頻度，設備の個々の範囲の制限，広告の選択等のようななんらかの方法で利用可能な全ての統計データを中央で検出し処理する中央コンピュータが、スキャナーレジスターの範囲内にあるアンテナに接続している状態で特定の広告を特定の商品の売上げに対して割り当てる目的でアクセスされ得る。特に、例えば個別に認識された人が広告の進行時間の間にどのくらい情報媒体の送受信設備の検出範囲内に滞在したか又は個々の人がどのくらいの期間設備の特定の範囲内に滞在したかが検出され得る。
以下で、図中に示された情報媒体利用システムの簡単な利用例を説明する。
【発明を実施するための最良の形態】
【００１３】
図１では、本発明の情報媒体利用システムによって構成された設備内で移動する人１がカート２を利用する。このカート２は、問合せ可能なＩＤ信号、ここではＩＤ番号４を有するトランスポンダ３を装備している。複数の送受信装置５が、設備内にわたって分散して配置されている。これらの送受信装置５は、所定の検出範囲を有し、かつ信号送信機として機能するトランスポンダ３の識別子に割り当てられている。この送受信設備５は、情報、例えばトランスポンダつまり人１の現在地又は送受信設備５の検出範囲内にいる人１の滞在期間を制御装置６に対して送信する。この制御装置６自体が、広告又はメッセージを付随する情報媒体７によって出力する。その結果、人１のその時の現在地に対して重要な情報が、その人１に送信される。同時に制御装置６が、送信路８を通じてトランスポンダ３の識別子から導き出すことのできる統計学的になんらかの方法で利用可能なデータ、例えば滞在時間，滞在地点，送受信設備の検出範囲内にまだあるその他のトランスポンダの台数を中央コンピュータ９内に記憶する。この中央コンピュータ９自体が、情報プールを希望者、設備の経営者等以外の特に広告使用者，製品の生産者に対して実際の統計データを配信する。他方では、作成された情報表示部、テキスト又はイメージ等が、広告専門業者から中央コンピュータ９によって送信路路１２を通じてこの中央コンピュータ９内に記憶され、この中央コンピュータ９から別の送信路１３を通じて制御装置６に対して出力され、この制御装置６から最終的にもう１つの送信路１４を通じて情報媒体７に対して出力され得る。
【００１４】
図２では、多数の主製造業者、特に商品の製造者及び販売業者１６、例えばサービス業者，広告業者１７が、中央コンピュータ９の運営業者１８に予め作成された表示又は広告メッセージ用のテキスト又はイメージを任意に使用させる。同時に、設備、例えばスパーマーケット２０の第１保守業者が、搬送手段、例えばトランスポンダ３を装備したカート２を自由に使用できる一方で、第２保守業者は、必要な情報媒体７，送受信設備５，コンピュータ等を自由に使用できる。
【００１５】
全体的には、上位に配置された少なくとも１つの管理コンピュータが、複数の設備に割り当てられた程度の差があるにせよ任意の数の中央コンピュータに割り当てられている。例えば広告ディスプレイを備えた異なる情報媒体の能力の活用が、この管理コンピュータによって最適化可能である。また、統計学的なデータ等の上位の入手や例えば比較的大きい場所に対する広告活動の管理のような全体的な管理業務が展開可能である。特に、どの設備内でどの時間に対してどの広告メッセージを伝えるかの選択が、この上位の管理コンピュータによって可能である。
【図面の簡単な説明】
【００１６】
【図１】情報媒体利用システムの技術的な原理の概略図である。
【図２】情報媒体利用システムの効率的に利用する原理の構成の概略図である。
【符号の説明】
【００１７】
１    人
２    カート
３    トランスポンダ
４    ＩＤ番号
５    送受信設備
６    制御装置
７    情報媒体
８    送信路
９    中央コンピュータ
１０  中央領域
１１  情報表示部
１２  送信経路
１３  送信経路
１４  送信経路
１５  主製造業者
１６  販売業者
１７  広告業者
１８  運営業者
１９  保守業者
２０  スーパーマーケット
【図１】
2006515931.tif 000003
【図２】
2006515931.tif 000004
【手続補正書】
【提出日】平成15年9月22日(2003.9.22)
【手続補正１】
【補正対象書類名】明細書
【補正対象項目名】０００４
【補正方法】変更
【補正の内容】
【０００４】
さらに、特にスーパーマーケット，ショッピングセンター及び場合によってはレジャーパークに対しては、交換可能な案内標識板の代わりに変化するテキスト又はイメージによる発光掲示板を使用することが提唱されている。この場合、発光掲示板はそれぞれ、個別に又は設備の中央管理所によって起動され、場合によってはさらに特定のテキスト又はイメージを変化させ連続して表示できる。このように構成された情報媒体システムは、確かに僅かな経費でほぼあらゆる任意の使用形態に適合可能であるものの、これらの簡単で動かない広告は、情報媒体の可視範囲内に到達した全ての人に無差別に見せる。その結果、同じイメージが同じ人たちに常に再び表示されることが頻繁に起こる。
ショッピングカートが広告メッセージをそれぞれの使用者に対して伝達できるように、デパートの全てのショッピングカートを構成することが、例えばドイツ連邦共和国特許発明第199 35 537号明細書から公知である。そのため、全てのショッピングカートに近距離受信機，ラウドスピーカ及び／又は表示ディスプレイ及び広告の出力を制御する電子機器及び電力を供給する二次電池を装備する必要がある。そのため、一件のデパートの少なくとも 100台のショッピングカートを適切に備える必要があるので、一方では多大な設備投資がかかり、他方では個々の来客に程度の差があるにせよ個人的に又は直接に伝えることは不可能である。
さらにショッピングセンター内の来客を案内する方法が、ドイツ連邦共和国特許発明第100 28 980号明細書から公知である。この方法は、顧客の購入を用意するために希望する多数の購入希望品をデータ記憶装置内に入力する必要があり、このデータ記憶装置では来客が引き続きショッピングカート上のディスプレイによって予めプログラミングした商品だけに案内されることを特徴とする。
最後にセルフサービス店舗用の来客情報装置が、米国特許発明第2002 0005775号明細書から公知である。この来客情報装置は、特に来客によって押されているショッピングカートが売り場の入口で既に入力した希望する商品のうちの１つの商品の現在地を通過する時に、店舗の入口領域内のセルフサービス店舗のその来客がショッピングカートの入力装置によってセルフサービス店舗内に設置された電子案内装置のその来客の購入希望商品を伝え、次いでこの顧客案内装置がその来客に希望する商品の現在地又は展示位置への注意を喚起することを特徴とする。
【特許文献１】ドイツ連邦共和国特許発明第199 35 537号明細書
【特許文献２】ドイツ連邦共和国特許発明第100 28 980号明細書
【特許文献３】米国特許発明第2002 0005775号明細書
【国際調査報告】
2006515931.tif 000005
2006515931.tif 000006
2006515931.tif 000007
2006515931.tif 000008
2006515931.tif 000009
2006515931.tif 000010